(57)【要約】  本発明は、電気通信ネットワーク１を介して通信端末３、３’の間に確立された通信セッション中にデータの形態で送信される、前記端末３、３’のユーザ７のプレゼンテーション情報９に関連付けられたユーザ７の識別子１１のセット１３を管理する方法に関し、前記方法は以下のステップを含む：前記端末３、３’の間に確立された通信セッション中に前記端末３、３’のうちの少なくとも１つによってデータの形態で送信されるユーザ７のプレゼンテーション情報９を通信セッションサーバ５で受信するステップと、前記サーバ５の記憶手段内に前記プレゼンテーション情報９を格納するステップと、前記サーバを介してユーザの識別子１１を前記格納されたプレゼンテーション情報９に関連付けるステップと、通信端末３、３’のユーザ７、７’が前記セット１３からユーザの識別子１１を選択し、それによってユーザの選択された識別子１１に関連付けられたプレゼンテーション情報９にアクセスすることができるように、前記端末３、３’の表示手段４、４’上にユーザの識別子１１のセット１３を表示するために前記端末３、３’に前記セット１３を送信するステップ。本発明はまた、通信端末３、３’のユーザ７、７’がユーザ７、７’のプレゼンテーション情報９にアクセスできるようにする方法に関する。本発明はさらに、これらの方法を実装するための通信セッションサーバ５および通信端末３、３’に関する。
2011517174.tif 000002
【特許請求の範囲】
【請求項１】
電気通信ネットワーク（１）を用いて通信端末（３、３’）の間に確立された通信セッション中にデータの形態で送信される前記端末（３、３’）ユーザ（７）紹介情報（９）に関連付けられたユーザ（７）識別子（１１）のセット（１３）を生成する方法であって、
−  通信セッションサーバ（５）が、前記端末（３、３’）の間に確立された通信セッション中に前記端末（３、３’）のうちの少なくとも１つによってデータの形態で送信されるユーザ（７）紹介情報（９）を受信するステップと、
−  前記紹介情報（９）が前記サーバ（５）の記憶手段に保存されるステップと、
−  前記サーバを介して、ユーザ識別子（１１）が、前記保存された紹介情報（９）と関連付けられるステップと、
−  通信端末（３、３’）のユーザ（７、７’）が前記セット（１３）からユーザ識別子（１１）を選択し、それにより選択されたユーザの識別子（１１）に関連付けられた前記紹介情報（９）にアクセスすることができるように、前記端末（３、３’）の表示手段（４、４’）上にユーザ識別子（１１）のセット（１３）を表示するために前記端末（３、３’）に前記セット（１３）が送信されるステップと
を含む、方法。
【請求項２】
通信セッションが電話会議である、請求項１に記載の方法。
【請求項３】
通信セッションがテレビ会議である、請求項１に記載の方法。
【請求項４】
前記情報が電子コーリングカード（１５）の形態で保存される、請求項１から３のいずれか一項に記載の方法。
【請求項５】
前記紹介情報が音声データを含む、請求項１から４のいずれか一項に記載の方法。
【請求項６】
前記紹介情報がビデオデータを含む、請求項１から５のいずれか一項に記載の方法。
【請求項７】
関連付けられたユーザ識別子（１１）に基づき、電気通信ネットワーク（１）を用いて通信端末（３、３’）の間に確立された通信セッション中にデータの形態で送信される前記通信端末（３、３’）のユーザ（７、７’）の紹介情報（９）に通信端末（３、３’）の少なくとも１人のユーザ（７、７’）がアクセスすることを可能にする方法であって、
−  少なくとも１つのユーザ識別子（１１）が、前記端末（３、３’）の表示手段（４、４’）上に表示されるユーザ識別子（１１）のセット（１３）から通信端末（３、３’）を介して選択されるステップと、
−  選択されたユーザ識別子（１１）に関連付けられたユーザ紹介情報（９）の要求が、前記端末（３、３’）の間に確立された通信セッション中に前記端末（３、３’）のうちの少なくとも１つによってデータの形態で送信されるユーザ（７）紹介情報（９）を受信し、保存していた通信サーバ（５）に送信されるステップと、
−  前記表示手段（４、４’）が、選択されたユーザ識別子（１１）に関連付けられている、前記サーバ（５）によって送信されるユーザ紹介情報（９）を受信するステップと、
−  前記端末（３、３’）を介して、紹介情報（９）が、可視および／または可聴の形態でユーザに配信されるステップと
を含む、方法。
【請求項８】
電気通信ネットワーク（１）を用いた通信端末（３、３’）の間の通信のためのセッションサーバであって、
−  前記端末（３、３’）のうちの少なくとも１つによってデータの形態で送信される前記端末（３、３’）のユーザ（７、７’）の紹介情報（９）を受信し、
−  記憶手段内に前記紹介情報（９）を保存し、
−  ユーザ（７、７’）識別子（１１）を前記保存された紹介情報（９）に関連付け、
−  前記端末（３、３’）の表示手段（４、４’）上にユーザ（７、７’）識別子（１１）のセット（１３）を表示するために、前記セット（１３）を前記ネットワーク（１）を介して前記端末（３、３’）に送信する
ための少なくとも１つの処理手段を備える、セッションサーバ。
【請求項９】
−  通信端末（３、３’）のユーザ（７、７’）の紹介情報（９）の要求を受信し、
−  前記要求を処理し、
−  前記ユーザ（７、７’）の紹介情報（９）を前記ネットワーク（１）を介して前記端末（３、３’）に送信する
ための少なくとも１つの処理手段を備える、請求項８に記載のサーバ。
【請求項１０】
電気通信ネットワーク（１）を用いて少なくとも１つの他の通信端末（３、３’）と通信セッションを確立する能力のある通信端末であって、
−  前記端末のユーザ（７、７’）の紹介情報をデータの形態で前記ネットワーク（１）を介して前記端末（３、３’）の間の通信セッションサーバ（５）に送信し、
−  前記端末（３、３’）のユーザ（７、７’）の紹介情報（９）にそれぞれ関連付けられ、前記サーバ（５）によって送信されるユーザ（７、７’）識別子（１１）のセット（１３）を受信し、
−  前記端末（３、３’）のユーザ（７、７’）が前記セット（１３）の中からユーザ識別子（１１）を選択し、それにより選択されたユーザの識別子（１１）に関連付けられた前記紹介情報（９）にアクセスすることができるように、前記端末（３、３’）の表示手段（４、４’）上に前記セット（１３）を表示する
ための少なくとも１つの処理手段を備える、通信端末。
【請求項１１】
−  前記セット（１３）の中からユーザ（７、７’）識別子（１１）を選択し、
−  前記ユーザ（７、７’）の紹介情報（９）の要求を前記サーバ（５）に送信し、
−  選択されたユーザ（７、７’）の識別子（１１）に関連付けられ、前記サーバ（５）によって送信される前記紹介情報（９）を受信し、
−  可視および／または可聴の形態で受信された紹介情報（９）を配信する
ための少なくとも１つの処理手段を備える、請求項１０に記載の端末。
【発明の詳細な説明】
【技術分野】
【０００１】
本発明は、電気通信ネットワークを用いて通信端末間に確立された通信セッション中に送信される前記端末ユーザの紹介情報に関連付けられたユーザ識別子のセットを生成する方法に関する。
【０００２】
本発明はさらに、関連付けられたユーザ識別子に基づくユーザ紹介情報に少なくとも１人の通信端末ユーザがアクセスできるようにする方法に関する。
【０００３】
本発明はさらに、かかる方法を実装するための通信セッションサーバおよび通信端末に関する。
【背景技術】
【０００４】
通信セッションの目的は、電気通信ネットワークを用いて、一般に遠隔サイトに位置する参加者間の会議などの通信を可能にすることである。
【０００５】
用語の「電気通信ネットワーク」は、送信されたデータを受信する能力のある通信端末向けのフローの形態などでデータを送信する、任意の種類の固定または移動電気通信ネットワーク（たとえば、ＧＳＭ、ＧＰＲＳ、ＵＭＴＳ、もしくはＷｉＦｉネットワーク、またはインターネットネットワーク、または有線ネットワーク）を指す。電気通信ネットワークは、これらの同じ端末とデータ、メッセージまたは要求を交換する能力をもつことができる。
【０００６】
任意のデータ送信モードが考慮されることができ、具体的にはマルチピア（または「マルチキャスト」）モード、すなわちいくつかのサイトからの参加者の間に通信セッションを確立することを可能にするもの、そしてまたピアトゥピア（または「ユニキャスト」）モード、すなわち２つのサイトからの参加者の間に通信セッションを確立することを可能にするものである。
【０００７】
さらに、用語の「通信端末」は、本明細書において、前述のタイプの電気通信ネットワークとデータ、メッセージ、および要求を交換する能力のある、ならびに別の端末と通信フローを確立する能力のある任意のタイプの機器を指す。
【０００８】
それはたとえば、地上線もしくは移動電話、デスクトップもしくはポータブルコンピュータ、パーソナルデジタルアシスタント（すなわちＰＤＡ）、またはテレビ会議機器、あるいは音声および／またはビデオデータを受信する能力のあるデバイスでもよい。
【発明の概要】
【発明が解決しようとする課題】
【０００９】
通信セッションが通信端末間に既に確立されていて、既に開始されているその通信セッションに参加者が参加する場合、この参加者は、たとえば、その通信セッションの初めに交換された、あらゆる参加者の紹介情報をもっていない。
【００１０】
かかる状況で、進行中のセッションに到達する参加者は、他の参加者に求めることによって、この欠落している情報を得るために、その通信セッションの進行を中断させてしまうことになりうる。
【００１１】
本発明の目的は、したがって、既に保存された他の参加者についての紹介情報データ、他の参加者の端末間に確立された通信セッション中に受信されたこの情報データをユーザに入手可能にし、アクセスすることができるようにすることによって、この欠点を是正することである。
【課題を解決するための手段】
【００１２】
本発明の目的は、したがって以下のステップを含む、電気通信ネットワークを用いて通信端末間に確立された通信セッション中にデータの形態で送信される前記端末ユーザの紹介情報に関連付けられたユーザ識別子のセットを生成する方法である：
−  通信セッションサーバが、前記端末の間に確立された通信セッション中に前記端末のうちの少なくとも１つによってデータの形態で送信されるユーザ紹介情報を受信するステップ。
−  前記紹介情報が前記サーバの記憶手段に保存されるステップ。
−  前記サーバを介して、ユーザ識別子が前記保存された紹介情報と関連付けられるステップ。
−  通信端末のユーザが前記セットからユーザ識別子を選択し、それにより選択されたユーザの識別子に関連付けられた前記紹介情報にアクセスすることができるように、前記端末の表示手段上にユーザ識別子のセットが表示されるように前記端末に前記セットが送られるステップ。
【００１３】
前記方法は、さらに、別個にまたは組み合わせて取り入れられる、以下の特徴のうちの１つまたは複数を備えることができる：
−  通信セッションが電話会議である。
−  通信セッションがテレビ会議である。
−  前記情報が、電子コーリングカードの形態で保存される。
−  前記紹介情報が音声データを含む。
−  前記紹介情報がビデオデータを含む。
【００１４】
本発明はさらに、以下のステップを含む、関連付けられたユーザ識別子に基づき、電気通信ネットワークを用いて通信端末の間に確立された通信セッション中にデータの形態で送信される前記端末ユーザの紹介情報に通信端末の少なくとも１人のユーザがアクセスすることを可能にする方法を開示する：
−  少なくとも１つのユーザ識別子が、前記端末の表示手段上に表示されるユーザ識別子のセットから通信端末を介して選択されるステップ。
−  選択されたユーザの識別子に関連付けられたユーザ紹介情報の要求が、前記端末の間に確立された通信セッション中に前記端末のうちの少なくとも１つによってデータの形態で送信されるユーザ紹介情報を受信し、保存していた通信サーバに送られるステップ。
−  前記表示手段が、選択されたユーザの識別子に関連付けられている前記サーバによって送信されるユーザ紹介情報を受信するステップ。
−  前記端末を介して、紹介情報が可視および／または可聴の形態でユーザに配信されるステップ。
【００１５】
本発明はさらに、以下のための少なくとも１つの処理手段を備える、電気通信ネットワークを用いた通信端末の間の通信セッションを可能にするサーバを開示する：
−  前記端末のうちの少なくとも１つによってデータの形態で送信される前記端末のユーザ紹介情報を受信すること。
−  記憶手段内に前記紹介情報を保存すること。
−  ユーザ識別子を前記保存された紹介情報に関連付けること。
−  前記端末の表示手段上に前記効果を表示するためにユーザ識別子のセットを前記ネットワークを介して前記端末に送信すること。
【００１６】
前記サーバはさらに、以下のための少なくとも１つの処理手段を備えることができる：
−  通信端末のユーザから紹介情報要求を受信すること。
−  前記要求を処理すること。
−  前記ユーザの前記紹介情報を前記ネットワークを介して前記端末に送信すること。
【００１７】
本発明はさらに、以下のための少なくとも１つの処理手段を備える、電気通信ネットワークを用いて少なくとも１つの他の通信端末と通信セッションを確立する能力のある通信端末を開示する：
−  前記端末間の通信セッションサーバに前記ネットワークを介して前記端末のユーザに関する紹介情報をデータの形態で送信すること。
−  前記サーバによって送信される、前記端末のユーザの紹介情報にそれぞれ関連付けられたユーザ識別子のセットを受信すること。
−  前記端末のユーザが前記セットの中からユーザ識別子を選択し、それによってその選択されたユーザの識別子に関連付けられた前記紹介情報にアクセスすることができるように、前記端末の表示手段上に前記セットを表示すること。
【００１８】
前記端末はさらに、以下のための少なくとも１つの処理手段を備えることができる：
−  前記セットの中からユーザ識別子を選択すること。
−  前記ユーザの紹介情報の要求を前記サーバに送信すること。
−  前記サーバによって送信された選択されたユーザ識別子に関連付けられた前記紹介情報を受信すること。
−  可視および／または可聴の形態で受信された紹介情報を配信すること。
【００１９】
本発明の他の特徴および利点は、次のような添付の図面を参照し、一例として示される、後述の説明を読むことにより明らかとなろう：
【図面の簡単な説明】
【００２０】
【図１】本発明の方法を実装するためのシステムの一般的な構造を概略的に示す。
【図２】ユーザ紹介情報にアクセスするための本発明の一方法のステップ中に端末上に表示されるデータの一例を示す。
【図３ａ】ユーザ紹介情報に関連付けられたユーザ識別子のセットを生成するための本発明の一方法の連続するステップを示す。
【図３ｂ】ユーザ紹介情報にアクセスするための本発明の一方法の連続するステップを示す。
【発明を実施するための形態】
【００２１】
図１は、送信されたデータを受信する能力のある通信端末３、３’向けのフローの形態などでデータを送信する、固定または移動電気通信ネットワーク１（たとえば、ＧＳＭ、ＧＰＲＳ、ＵＭＴＳ、もしくはＷｉＦｉネットワーク、またはインターネットネットワーク、または有線ネットワーク）を示す。
【００２２】
電気通信ネットワークは、端末３、３’とデータ、メッセージまたは要求を交換する能力のある任意のタイプの電気通信ネットワークでもよい。
【００２３】
端末３、３’は、たとえば、地上線もしくは移動電話、デスクトップもしくはポータブルコンピュータ、パーソナルデジタルアシスタント（すなわちＰＤＡ）、またはテレビ会議機器、あるいは音声および／またはビデオデータを受信する能力のあるデバイスでもよい。
【００２４】
端末３、３’はさらに、ネットワーク１を用いてそれら自体の間に通信セッションを確立する能力があり、この通信セッションで、たとえば、一般に遠隔のサイトに位置する参加者の間の会議を可能にする。
【００２５】
任意のデータ送信モードが考慮されることができ、具体的にはマルチピア（または「マルチキャスト」）モード、すなわちいくつかのサイトからの参加者の間に通信セッションを確立することを可能にするもの、そしてまたピアトゥピア（または「ユニキャスト」）モード、すなわち２つのサイトからの参加者の間に通信セッションを確立することを可能にするものである。
【００２６】
さらに、通信セッションサーバ５が、端末３、３’との対話を介して、ネットワーク１を用いて端末３、３’の間に確立された通信セッション中に送信される端末３、３’のユーザ７、７’の紹介情報に関連付けられたユーザ識別子のセットを生成する方法の実装、ならびに、端末３、３’の少なくとも１人のユーザ７、７’が関連付けられたユーザ識別子に基づくユーザ紹介情報にアクセスすることを可能にする方法の実装を可能にする。
【００２７】
示された例では、図１は、端末３、３’の表示手段４、４’上に表示することができる、電気通信ネットワーク１を介して送信される、データにアクセスするための３つの端末３、３’を示す。
【００２８】
端末３の間に確立された通信セッション中に、端末３の様々なユーザ７は、通信セッションの初めなどに、自己紹介をする。
【００２９】
そのために、端末３は、ユーザ７の紹介中にネットワーク１を介して彼らの紹介情報９を送信するための少なくとも１つの処理手段を備える。
【００３０】
好ましくは、端末３は、識別データを送信する能力をもつ。
【００３１】
本発明のサーバ５は、以下のための少なくとも１つの処理手段を備える：
−  この紹介情報９、および優先的に端末３の識別データを受信すること。
−  受信された紹介情報９を保存し、この紹介情報９がたとえば記憶手段に保存されること。
−  ユーザ７の保存された紹介情報９をユーザ識別子１１（図２）、たとえば対応するユーザ７の名前、本明細書ではＡさん、ＢさんおよびＣさん、と関連付けることと、
−  様々なユーザ識別子１１のセット１３を生成し、端末３に送信すること。このセット１３はたとえばリストでもよい。
【００３２】
セット１３が端末３によって受信された後、セット１３は、画面などの表示手段４上に表示することができる。
【００３３】
この方式で、通信セッションに参加しているユーザ７の紹介情報９は、その端末３から端末３のユーザ７のそれぞれに入手可能となる。
【００３４】
有利なことに、サーバ５は、通信セッションが始まった後にそれに参加する端末３’を検出する能力をもつ。そうである場合、サーバ５はセット１３を検出された端末３’に自動的に送信する。
【００３５】
有利なことに、端末３’は、セット１３を受信するための、そして、たとえばそれを表示手段４’上に表示するための、少なくとも１つの処理手段を備える。
【００３６】
特定の一実施形態では、通信セッションは電話会議である。
【００３７】
優先的一実施形態では、通信セッションはテレビ会議である。
【００３８】
そのために、端末３、３’は、たとえば、ビデオカメラ、マイクロホン、およびスピーカを備えてもよい。
【００３９】
かかる場合、複数ユーザ７、７’は、たとえばビュー画面４、４’と向かい合う会議用テーブルの周りに座って、テレビ会議に参加する端末３、３’を使用することができる。
【００４０】
このビュー画面４、４’は、映像データおよび音声データの同期を用いて遠隔の参加者を見ることを可能にする。
【００４１】
好ましくは、紹介情報９は、ネットワーク１を介した個人データの交換を可能にするフォーマットで電子コーリングカード１５の形態で保存される。
【００４２】
電子コーリングカード１５は、ユーザの名字、少なくとも１つの名前、少なくとも１つの電子メールアドレス、少なくとも１つの物理アドレス、ロゴ、写真、または音声もしくはビデオファイルまでも含むことができ、表示手段４、４’上に表示することができる。
【００４３】
有利な一実施形態では、紹介情報９は音声データを含む。この音声データは、たとえば、コーリングカード１５から音声ファイルの形態で送信することができる。
【００４４】
その場合、サーバ５は、有利なことに、ユーザ７’が紹介情報９を聞きたいかをユーザ７’に尋ねる問合せメッセージを生成する能力をもつ。
【００４５】
サーバ５は、要求を生成した端末３’にネットワーク１を介して問合せメッセージを送信する能力を優先的にもつ。この送信は、たとえば、ネットワーク１を介した端末３’への紹介情報９の送信中に実行することができる。
【００４６】
ユーザ７’がこの紹介情報９を聞くときには必ず、進行中の通信セッションを中断させないように、この情報が端末３’でのみ聞くことができるように提供されることもできる。
【００４７】
好ましい一実施形態では、紹介情報９はビデオデータを含む。
【００４８】
図２に示すように、ユーザＢさんの電子コーリングカード１５は、リンク、この場合ｖｉｄｅｏｉｎｔｒｏｄｕｃｔｉｏｎ：￥￥ＣｏｎｆｅｒｅｎｃｅＹＹＹＹ．Ｂ、によって表されるＢさんの紹介からのビデオファイルを含む。
【００４９】
かかる場合、ユーザ７’に彼がその紹介ビデオを見たいかを尋ねるための問合せメッセージが提供することができる。
【００５０】
有利なことに、端末３’は、図２に示すように、端末３’のユーザ７’がその識別子１１を彼が選択したユーザ７、たとえばＢさん、の紹介情報９にアクセスすることを望むときには必ずセット１３の中から識別子１１を選択するための少なくとも１つの処理手段を備える。
【００５１】
そのために、端末３’は、有利なことに、その識別子１１が選択されたユーザ７、すなわちＢさん、についての紹介情報９の要求を生成する能力をもつ。
【００５２】
この要求は、選択された識別子１１、およびその要求を生成した端末３’を識別する少なくとも１つのデータを有利に含む。
【００５３】
さらに、端末３’は、選択された識別子１１に関連して生成される要求をネットワーク１を介してサーバ５に送信するための少なくとも１つの処理手段を備える。
【００５４】
サーバ５は、好ましくは、この要求を受信し、それを処理するための少なくとも１つの処理手段を備える。
【００５５】
要求を処理するとき、サーバ５は、選択された識別子１１および場合によっては端末３’の識別データにアクセスし、ユーザ７’によって選択された識別子１１に関連付けられた紹介情報９を記憶手段内で探索することができる。
【００５６】
サーバ５は、たとえば、紹介情報９の探索が終了した後に、端末３’に選択された識別子に関連付けられた紹介情報９を送信するための少なくとも１つの処理手段を備える。
【００５７】
端末３’は、この紹介情報９を受信するためのならびに可視および／または可聴の形態でこの紹介情報９を配信するための少なくとも１つの処理手段を有利に備える。
【００５８】
当然ながら、前述のとおり、端末３および３’は同じ処理手段をもつ。
【００５９】
この方式で、通信セッションに参加するいずれかのユーザ７、７’は、要求に応じて、その通信セッションに参加する様々なユーザ７、７’の紹介情報９にアクセスすることができる。
【００６０】
当然ながら、端末３と同様の方式で、端末３’は、ネットワーク１を介してユーザ７’の紹介情報９を送信するための少なくとも１つの処理手段、および場合によっては少なくとも１つの識別データを含む。
【００６１】
かかる場合、サーバ５は、以下のための少なくとも１つの処理手段を備える：
−  この紹介情報９を受信し、場合によっては端末３’の識別データを受信する。
−  ユーザ７の受信された紹介情報９を保存する。
−  保存された紹介情報９をユーザの識別子１１と関連付ける。
−  有利に、ユーザ識別子１１のセット１３を更新する。
−  更新されたセット１３を端末３、３’に送信する。
【００６２】
かかる場合、端末３、３’は、更新されたセット１３を受信するための少なくとも１つの処理手段を優先的に備える。
【００６３】
サーバ５は、記憶手段に保存されたユーザ識別子１１を管理するための少なくとも１つの手段をさらに含むことができる。
【００６４】
一変形実施形態では、識別子１１は、通信セッションが終了した後にサーバ５によって自動的に削除することができる。
【００６５】
図３ａに示すように、ユーザ識別子１１のセット１３を生成するための本発明の方法は、以下に詳述される複数のステップを含む。
【００６６】
端末３、３’がネットワーク１を介して紹介情報９を送信することができるように、端末３、３’の間に確立された通信セッション中、端末３、３’の様々なユーザ７、７’は、通信セッションの初めなどに、自己紹介をする。
【００６７】
サーバ５が、次に、ステップ１７で、紹介情報９を受信する。サーバ５は端末３、３’の識別データも受信するように提供することができる。
【００６８】
このステップ１７が完了したとき、サーバ５は、ステップ１９で、この紹介情報９を記憶手段に保存し、ステップ２１で、それらをユーザ識別子１１にそれぞれ関連付ける。
【００６９】
サーバ５は、次に、ステップ２３として、様々なユーザ識別子１１のセット１３を生成し、それをネットワーク１を介して端末３、３’に送信する。
【００７０】
セット１３が端末３、３’で受信された後は、リストが端末３、３’の表示手段４、４’、たとえば画面、に表示することができる。
【００７１】
図３ｂに示すように、ユーザ紹介情報にアクセスするための本発明の方法は、以下に詳述する複数のステップを含む。
【００７２】
ユーザ７、７’は、彼が選択した識別子１１のユーザの紹介情報９にアクセスしたいとき、ステップ２５で、セット１３の中から識別子１１を選択する。
【００７３】
端末３、３’が、次に、ステップ２７で、そのユーザの紹介情報の要求を生成し、それをサーバ５に送信する。
【００７４】
この要求は、選択された識別子１１、およびその要求を生成した端末３、３’を識別する少なくとも１つのデータを有利に含む。
【００７５】
このステップ２７が完了したとき、サーバ５は、要求を受信し、処理する。その要求を処理するとき、サーバ５は、選択された識別子１１、および場合によってはその要求を生成した端末３、３’を識別するデータにアクセスする。
【００７６】
サーバ５は選択された識別子１１に関連付けられた紹介情報９を記憶手段の中で探索するように提供することができる。
【００７７】
サーバ５は、次に、選択された識別子１１に関連付けられた紹介情報９を要求を生成した端末３、３’に送信する。
【００７８】
要求を生成した端末３、３’は、次にステップ２９でこの紹介情報９を受信し、それからステップ３１で可聴および／または可視の形態でそれを配信する。
【００７９】
ユーザ紹介情報に関連付けられたユーザ識別子のセットを生成するための本発明の方法およびこのユーザ紹介情報にアクセスするための本発明の方法は、前述のように、少なくとも１つの通信セッションサーバ５および少なくとも１つの通信端末３を含むシステムによって有利に実装される。
【００８０】
したがって、紹介は一般に通信セッションの初めに行われるのであるが、かかる方法を使って、ユーザは、彼がそう望めばいつでも、たとえ彼が通信セッションに遅れて加わっても、通信セッションに参加している様々なユーザの紹介情報にアクセスするための簡単な方法をもつことが理解される。
【図１】
2011517174.tif 000003
【図２】
2011517174.tif 000004
【図３ａ】
2011517174.tif 000005
【図３ｂ】
2011517174.tif 000006
【国際調査報告】
2011517174.tif 000007
2011517174.tif 000008
2011517174.tif 000009
2011517174.tif 000010